(57)【特許請求の範囲】
【請求項１】
プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える補助枠部を一体に形成した上、マウント基盤部または左右補助枠部の何れか適所に、プレパラート標本を着脱可能に添着する添着部を設けてなるものとしたことを特徴とするプレパラート標本用マウント。
【請求項２】
プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、縦方向約３５ｍｍ前後、左右幅寸法約２５ｍｍ前後の開口寸法であって、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える補助枠部を一体に形成した上、マウント基盤部または左右補助枠部の何れか適所に、プレパラート標本を着脱可能に添着する添着部を設けてなるものとしたことを特徴とするプレパラート標本用マウント。
【請求項３】
プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、縦方向約３５ｍｍ前後、左右幅寸法約２５ｍｍ前後の開口寸法であって、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える突出厚さ寸法に設定され、且つプレパラート標本用画像窓を挟んで対峙する縁部を、プレパラート標本縁を係止可能な係止側縁面に形成した補助枠部を一体に形成した上、マウント基盤部または左右補助枠部の何れか適所に、プレパラート標本を着脱可能に添着する添着部を設けてなるものとしたことを特徴とするプレパラート標本用マウント。
【請求項４】
プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、縦方向約３５ｍｍ前後、左右幅寸法約２５ｍｍ前後の開口寸法であって、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える突出厚さ寸法に設定され、且つプレパラート標本用画像窓を挟んで対峙する縁部を、プレパラート標本の左右幅よりも大きく離反、配置させ、しかもプレパラート標本縁が係止可能な係止側縁面に形成した補助枠部を一体に形成した上、マウント基盤部または左右補助枠部の何れか適所に、プレパラート標本を着脱可能に添着する添着部を設けてなるものとしたことを特徴とするプレパラート標本用マウント。
【請求項５】
添着部が、左右補助枠部のプレパラート標本用画像窓を挟んで対峙する縁部の夫々に、装着されて対峙するプレパラート標本縁部を粘着、固定可能な粘着剤部を設け、左右補助枠部間にプレパラート標本を挟み込み、粘着状に仮固定して脱着可能に添着できるものに形成された、請求項１ないし３何れか記載のプレパラート標本用マウント。
【請求項６】
添着部が、左右補助枠部のプレパラート標本用画像窓の少なくとも四隅に相当する部分の夫々に、プレパラート標本縁部を係止可能な係止爪状部を設け、係止爪状部間にプレパラート標本を挟み込むように仮固定して脱着可能に添着できるものに形成された、請求項１ないし３何れか記載のプレパラート標本用マウント。
【請求項７】
添着部が、左右補助枠部の対峙縁部の中の何れか一方の縁部適所にプレパラート標本縁部を係止可能な係止爪状部を設け、これに対峙する他方の縁部適所にプレパラート標本を該係止爪状部側に向けて押圧可能な弾性付勢部を配置してなり、係止爪状部と弾性付勢部との間にプレパラート標本を挟み込むように仮固定して脱着可能に添着できるものに形成された、請求項１ないし３何れか記載のプレパラート標本用マウント。
【請求項８】
添着部が、マウント基盤部プレパラート標本装着面であって、プレパラート標本用画像窓の縦方向開口縁部付近の夫々に、プレパラート標本の装着面を粘着、固定可能な粘着剤部を設け、左右補助枠部間に装着したプレパラート標本を、粘着状に仮固定し、脱着可能に添着できるものに形成された、請求項１ないし４何れか記載のプレパラート標本用マウント。
【請求項９】
添着部が、マウント基盤部プレパラート標本装着面であって、プレパラート標本用画像窓の縦方向開口縁部付近の夫々に、プレパラート標本の接合面を吸着、固定可能な吸盤部を設け、左右補助枠部間に装着したプレパラート標本を、吸着状に仮固定し、脱着可能に添着できるものに形成された、請求項１ないし４何れか記載のプレパラート標本用マウント。
【請求項１０】
添着部が、マウント基盤部のプレパラート標本用画像窓の縦方向開口縁部付近の夫々に、プレパラート標本装着面から反対側面に貫通する連通孔を穿設すると共に、プレパラート標本装着面側の各連通孔開口縁部には、夫々プレパラート標本の接合面を吸着、固定可能な吸盤弁部を設け、同マウント基盤部の反対側面の各連通孔開口部には、夫々手指等による押圧操作によって連通孔内の空気を押し出して、吸引力を発生可能とする弾性密閉膜部を形成し、左右補助枠部間に装着したプレパラート標本を、各弾性密閉膜部を押圧操作することによって吸着状に仮固定し、脱着可能に添着できるものに形成された、請求項１ないし４何れか記載のプレパラート標本用マウント。
【請求項１１】
マウント基盤部は、プレパラート標本用画像窓を開口した縦方向一端側とは反対側であって、装着されるプレパラート標本に対峙する縦方向他端縁部の適所に、プレパラート標本の位置決め、装着および離脱を容易にする寸法ならびに形状に設定された操作用切欠き溝を形成してなるものとした、請求項１ないし４何れか記載のプレパラート標本用マウント。
【発明の詳細な説明】
【０００１】
【発明の目的】
この発明は、プレパラート標本を安全且つ容易に取扱いおよび保管可能とする保持枠具に関するものであって、特に、３５ｍｍカメラフィルム用のフィルムスキャナやスライドプロジェクター等といった汎用型の画像再現機器に直接使用することを実現可能とする新規な構造からなるプレパラート標本用マウントを提供しようとするものである。
【０００２】
【従来の技術】
我が国における医療の現場では、業務管理情報や健康保険の患者個人情報等の管理に、近年著しい進歩を遂げているコンピュータ技術を導入して事務処理作業の大幅な効率化が進められているが、その反面、医学的な画像情報や診療記録情報等は、その情報量の大きさや個人情報の保持等の技術的な課題が残されているため、Ｘ線画像、超音波診断画像、内視鏡診断画像、血液検査資料、Ｘ線コンピュータ断層撮影画像（ＣＴ画像）、核磁気共鳴断層撮影画像（ＭＲＩ画像）、病理画像等多岐に渡る医療画像の蓄積、保存が個別の医療機器毎に管理され、Ｘ線フィルムや写真といった形でファイル化されたり、あるいは病理画像としてではなくパラフィンブロック標本やプレパラート標本をそのままの形で蓄積、保管しているのが現状である。
【０００３】
一般的に一患者一回の病理組織検査を実施する際に、３０枚程度のプレパラート標本を作製し、これら一つ一つの標本を丁寧に観察して慎重に病理診断されることとなるが、このようにして多数の患者から採取された病理組織から発生するプレパラート標本は、年間を通じて膨大な枚数に及ぶものとなり、蓄積、保管に多大な労力と保管スペースとを要することから、医療用のスキャナを用いてプレパラート標本から病理画像を読み取り、ディジタル情報として蓄積、管理する試みが多くの医療機関によって盛んに行われている。
【０００４】
こうしてディジタル情報化された病理画像は、将来的にはプレパラート標本の蓄積、保管を不要とすることも考えられるばかりでなく、グローバル化された通信ネットワーク上で容易に送受信可能となり、コンピュータ端末等を通じた遠隔医療を行う際の病理診断のための重要な資料となり得るものであり、また、他の医療機器データと統合することによって総合的な診断を一台のコンピュータ端末上で行うことができるようになる等、今後の医療技術の進歩に欠くことのできないものになることが予想されている。
【０００５】
しかしながら、医療画像のデータベース化は、現状のところシステム面での開発途上にあるため、スキャナによって画像を読み取られたプレパラート標本であっても、後に顕微鏡による確認が行えるよう、プレパラート標本のまま蓄積、管理せざるを得ないのが現状となっており、しかも、プレパラート標本のスライドガラスやカバーガラスが破損しやすいため、スキャナによる読取り作業や蓄積、管理作業中に、不用意な取り扱いによって貴重な病理組織が失われてしまう虞れもあるので細心の注意が求められ、医療用スキャナを用いてプレパラート標本から病理画像を読み取る作業が、病理検査に携わる人々の新たな労働負担となってきている。
【０００６】
また、現在使用されている医療用のスキャナは、普及型のフィルムスキャナ等に比べて装置本体価格が高価である上、プレパラート標本専用の特別なアダプターを必要とするため、学術的な研究をする際等において経済的負担が大きく、しかも、専用アダプター自体も、一般的なフィルムアダプター等に比較して高価であることから、スキャナによる読取り作業の際には、多数のプレパラート標本を限られた数の専用アダプターに装着して読取り作業を行った後に、取り外して再度別のプレパラート標本に付け替えるといった繁雑な作業を繰り返さなければならず、学術的研究を効率的に行うことができなかった。
【０００７】
この発明は、病理画像のディジタル情報化を進める中、上記のような理由によって今後とも暫くはプレパラート標本の蓄積、管理が必要であると予想され、実際に病理検査や学術研究に関わるものの一人として、その際の労働負担や経済的負担を少しでも軽減化することはできないものかとの判断から、一般的な３５ｍｍフィルム用スキャナでプレパラート標本の画像を読み取り可能とする比較的廉価なマウントの必要性を痛感し、逸速くその開発、研究に着手し、長期に渡る試行錯誤と幾多の試作、実験とを繰り返してきた結果、今回、遂に新規な構造のプレパラート標本用マウントを実現化することに成功したものであり、以下では、図面に示すこの発明を代表する実施例と共に、その構成を詳述することとする。
【０００８】
【発明の構成】
図面に示す代表的な実施例からも明確に理解されるように、この発明のプレパラート標本用マウントは、基本的に次のような構成から成り立っている。
即ち、プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える補助枠部を一体に形成した上、マウント基盤部または左右補助枠部の何れか適所に、プレパラート標本を着脱可能に添着する添着部を設けてなるものとした構成を要旨とするプレパラート標本用マウントである。
【０００９】
この基本的な構成からなるプレパラート標本用マウントは、より具体的には、プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、縦方向約３５ｍｍ前後、左右幅寸法約２５ｍｍ前後の開口寸法であって、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える補助枠部を一体に形成した上、マウント基盤部または左右補助枠部の何れか適所に、プレパラート標本を着脱可能に添着する添着部を設けてなるプレパラート標本用マウントということができる。
【００１０】
さらに、表現を変えて示すならば、この発明に包含されるプレパラート標本用マウントは、プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、縦方向約３５ｍｍ前後、左右幅寸法約２５ｍｍ前後の開口寸法であって、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える突出厚さ寸法に設定され、且つプレパラート標本用画像窓を挟んで対峙する縁部を、プレパラート標本縁を係止可能な係止側縁面に形成した補助枠部を一体に形成した上、マウント基盤部または左右補助枠部の何れか適所に、プレパラート標本を着脱可能に添着する添着部を設けてなるプレパラート標本用マウントとなる。
【００１１】
また、この発明のプレパラート標本用マウントには、プレパラート標本の略全長に添って接合可能な縦寸法、および３５ｍｍカメラフィルム用マウントの全幅に略一致する左右幅寸法に設定されたマウント基盤部を設け、該マウント基盤部中央の縦方向一端側寄りに、縦方向約３５ｍｍ前後、左右幅寸法約２５ｍｍ前後の開口寸法であって、３５ｍｍカメラフィルム用マウントの透過用画像窓と略同一寸法形状となるようにすべく、その左右幅縁から中央側に向けて夫々等距離を置いた位置で、縦方向一端側縁から中央側に向けた距離において透過用画像窓の縦方向位置と略同一配置となるよう設定されたプレパラート標本用画像窓を開口すると共に、同マウント基盤部プレパラート標本装着面の左右幅縁部の少なくともプレパラート標本用画像窓に対応する範囲には、夫々装着するプレパラート標本の厚み寸法を僅かに越える突出厚さ寸法に設定され、且つプレパラート標本用画像窓を挟んで対峙する縁部を、プレパラート標本の左右幅よりも大きく離反、配置させ、しかもプレパラート標本縁が係止可能な係止側縁面に形成した補助枠部を一体に形成した上、マウント基盤部または左右補助枠部の何れか適所に、プレパラート標本を着脱可能に添着する添着部を設けてなるプレパラート標本用マウントも包含されている。
【００１２】
マウント基盤部は、プレパラート標本の取扱いを容易にすると共に、他の物品との直接的な接触から保護するものとなり、しかもマウントされた３５ｍｍカメラフィルムを使用可能な汎用型のフィルムスキャナやスライドプロジェクー等に対して、３５ｍｍカメラフィルム用マウントと同様に装着、使用可能とする形状寸法を維持、形成する機能を果たすものであって、３５ｍｍカメラフィルム用マウントの透過用画像窓と略同一寸法であり、左右幅縁および縦方向一端側縁からの距離が略同一配置となるよう設定されたプレパラート標本用画像窓を開口したものとしなければならない。
【００１３】
そして、装着されるプレパラート標本の厚み寸法との合計厚み寸法が、一般的な３５ｍｍカメラフィルム用マウントの厚み寸法に略一致する程度となるように厚み寸法を設定されたものとすべきであるが、一般に市販されている３５ｍｍカメラフィルム用のフィルムスキャナやスライドプロジェクターのフィルム装着部に装着可能な厚み寸法に設定されていればよい。また、プレパラート標本用画像窓を開口した縦方向一端側とは反対側であって、装着されるプレパラート標本に対峙する縦方向他端縁部の適所に、手指を挿入可能としてプレパラート標本の位置決めや、装着および離脱を容易にする寸法ならびに形状に設定された操作用切欠き溝を形成したものとすることができる。
【００１４】
プレパラート標本用画像窓は、マウント基盤部プレパラート標本装着面に重ね合わせ状に装着されたプレパラート標本の標本部分を含む範囲に光の透過を可能とし、イメージセンサーによる標本の読み取りや、拡大映写を可能とする機能を果たすものであり、市販の３５ｍｍカメラフィルム用マウントの透過用画像窓と略同一寸法に設定され、しかもマウント基盤部中央の縦方向一端側寄りであって、左右幅縁および縦方向一端側縁からの距離も、３５ｍｍカメラフィルム用マウントと略同一配置となるよう開口されたものとしなければならず、その開口縁部は、プレパラート標本側に不要な光を反射させぬよう傾斜面に仕上げたり、艶消し処理や黒色塗装等を施すのが望ましい。
【００１５】
補助枠部は、マウント基盤部プレパラート標本装着面に装着されたプレパラート標本の厚み寸法を僅かに越える高さを、プレパラート標本装着面の幅方向の左右側縁部付近で確保して、市販の３５ｍｍカメラフィルム用マウントと略同様の寸法、形状を確保する機能を果たすものであり、プレパラート標本の標本装着部が、プレパラート標本用画像窓に配置されるように、プレパラート標本を幅方向の左右側から保持可能とするように形成したものとすることができる外、プレパラート標本用画像窓を挟んで対峙する縁部を、プレパラート標本の左右幅よりも大きく離反、配置させ、プレパラート標本をプレパラート標本用画像窓に対してスライド移動させて最適な位置に調節できるように形成することもできる。
【００１６】
添着部は、マウント基盤部プレパラート標本装着面の適所にプレパラート標本を重ね合わせ状に仮り固定および取外し可能とする機能を果たすものであり、マウント基盤部または左右補助枠部の何れか適所に設けられたものとすべきであり、左右補助枠部のプレパラート標本用画像窓を挟んで対峙する縁部の夫々に粘着剤部を設け、左右補助枠部間に挟み込まれたプレパラート標本を、粘着状に仮固定できるものに形成することが可能である外、左右補助枠部のプレパラート標本用画像窓の少なくとも四隅に相当する部分の夫々に、プレパラート標本縁部を係止可能な係止爪状部を設け、係止爪状部間にプレパラート標本を挟み込むように仮固定できる構造とすることができる。
【００１７】
また、左右補助枠部の対峙縁部の中の何れか一方の縁部適所にプレパラート標本縁部を係止可能な係止爪状部を設け、これに対峙する他方の縁部適所にプレパラート標本を該係止爪状部側に向けて押圧可能な弾性付勢部を配置してなり、係止爪状部と弾性付勢部との間にプレパラート標本を挟み込むように仮固定して脱着可能に添着できるものに形成したり、あるいは、マウント基盤部プレパラート標本装着面であって、プレパラート標本用画像窓の縦方向開口縁部付近の夫々に、プレパラート標本の装着面を粘着、固定可能な粘着剤部を設け、左右補助枠部間に装着したプレパラート標本を粘着状に仮固定し、脱着可能に添着できるものに形成することができる外、マウント基盤部プレパラート標本装着面であって、プレパラート標本用画像窓の縦方向開口縁部付近の夫々に、プレパラート標本の接合面を吸着、固定可能な吸盤部を設け、左右補助枠部間に装着したプレパラート標本を吸着状に仮固定し、脱着可能に添着できるものに形成することができる。
【００１８】
吸盤部による仮固定構造を、より具体的に示せば、マウント基盤部のプレパラート標本用画像窓の縦方向開口縁部付近の夫々に、プレパラート標本装着面から反対側面に貫通する連通孔を穿設すると共に、プレパラート標本装着面側の各連通孔開口縁部には、夫々プレパラート標本の接合面を吸着、固定可能な吸盤弁部を設け、同マウント基盤部の反対側面の各連通孔開口部には、夫々手指等による押圧操作によって連通孔内の空気を押し出して吸引力を発生可能とする弾性密閉膜部を形成し、左右補助枠部間に装着したプレパラート標本を、各弾性密閉膜部を押圧操作することにより、吸着状に仮固定し、脱着可能に添着するものに形成されたものであるということができる。
【００１９】
プレパラート標本は、観察の対象となる標本を、顕微鏡による観察が可能な状態に封入して安定的に保持すると共に、マウント基盤部プレパラート標本装着面に装着可能とする機能を果たすものであり、封入された標本は、解剖組織学、細胞診断学、臨床病理学等の医学的資料である人体組織や実験、研究用生物の固体またはその一部組織の外、動物学、植物学等の生物学的な固体またはその一部組織や、地質学、鉱物学、地震学等の地学的な鉱物資料、あるいは土壌動物等といったあらゆるものを対象としており、概略的な構成としては顕微鏡用スライドガラス上の適所に観察の対象となる標本を乗せてカバーガラスを被せて固定するようにしたものであり、適宜封入剤を用いて永久保存可能な標本として長期保管できるものとすることができる。
以下では、図面に示すこの発明を代表する実施例と共に、その構造について詳述することとする。
【００２０】
【実施例１】
図１の分解状態にあるプレパラート標本用マウントの斜視図、図２にプレパラート標本を装着するプレパラート標本用マウントの斜視図、およびプレパラート標本を装着したプレパラート標本用マウントの斜視図に示される事例は、マウント基盤部２に開口されたプレパラート標本用画像窓２１の幅方向の左右側に装着された左右補助枠部３，３の対峙縁部の中の何れか一方の縁部適所にプレパラート標本５縁部を係止可能な係止爪状部４１を設ける一方、これに対峙する他方の縁部適所にプレパラート標本５を該係止爪状部４１側に向けて押圧可能な弾性付勢部４２を配置してなり、係止爪状部４１と弾性付勢部４２とからなる添着部４によってプレパラート標本５を挟み込むように仮固定して脱着可能に添着できるものに形成したこの発明の基本的構成からなるプレパラート標本用マウント１における代表的な実施例を示している。
【００２１】
当該プレパラート標本用マウント１は、その本体が、アルミニウム、ステンレス、真鍮等の金属板、あるいは合成樹脂成型品からなる０．５ｍｍ程度の肉厚寸法の平板状であって、縦寸法をプレパラート標本５の全長寸法に略等しい７５ｍｍ前後とし、左右横幅寸法が一般的な３５ｍｍカメラフィルム用マウントの幅寸法に略一致する５０ｍｍ前後に設定され、左右幅縁から中央側に夫々約１２ｍｍ前後、縦方向一端側縁から中央側へ約６ｍｍ前後の距離に配置されることにより、３５ｍｍカメラフィルム用マウントの透過用画像窓と略同一寸法となる縦３８ｍｍ前後、幅２６ｍｍ前後の矩形状のプレパラート標本用画像窓２１を肉厚方向に貫通、開口させたマウント基盤部２からなり、縦方向一端側とは反対側の他端縁部の装着されるプレパラート標本５に対峙する位置には、手指を挿入可能なＵ型状の操作用切欠き溝２２を形成したものとなっている。
【００２２】
マウント基盤部２のプレパラート標本装着面２３におけるプレパラート標本用画像窓２１の左右幅縁部のプレパラート標本用画像窓２１に対応する範囲を含む縦方向の約６０ｍｍ前後の距離に渡り、スライドガラス０．８〜１．２ｍｍ程度、カバーガラス０．１７ｍｍ程度、標本の厚さ０．０１ｍｍ以下（一般に０．００４ｍｍ）程度からなるプレパラート標本５の合計厚み寸法を僅かに越える１．５ｍｍ程度の突出厚さ寸法に設定された補助枠部３，３を接着剤によって固着したものとしてある。
【００２３】
そして、これら左右補助枠部３，３のプレパラート標本用画像窓２１を挟んで対峙する側面を係止側縁面３１，３１とし、互いの離反距離がプレパラート標本５の幅寸法２２ｍｍ前後を越える凡そ２６ｍｍ前後に設定され、その中の一方の係止側縁面３１を、プレパラート標本用画像窓２１縁部から突出厚みの上端側に向かうに従って中央寄りに傾斜された壁面に形成して係止爪状部４１とし、また、これに対峙する他方の係止側縁面３１側には、弾性を得るよう冷間加工を施したばね鋼やその他の合金からなる金属板、あるいは弾性を有する合成樹脂成型品であって、マウント基盤部２と補助枠部３との間に一体に挟み込まれて固着される固着面部４３と、該固着面部４３から延伸されてプレパラート標本５の縁角部に当接し、プレパラート標本５をプレパラート標本装着面２３側に押圧すると共に、対峙する補助枠部３の係止爪状部４１へ向けて押圧する付勢力を発揮可能にする二つの押圧片部４４，４４とを形成することにより、プレパラート標本装着面２３の適所にプレパラート標本５を仮固定可能とする添着部４を形成し、さらに、押圧片部４４は、プレパラート標本５を装着する際のスライド移動方向の両端部分を、プレパラート標本５の円滑な脱着を可能とするよう傾斜面状に折曲した上、接触面の略全体を平滑面状に仕上げたものとしている。
【００２４】
【実施例２】
図４のプレパラート標本用マウントの斜視図に示される実施例は、プレパラート標本用画像窓２１の左右幅寸法、ならびにプレパラート標本装着面２３左右に突設された補助枠部３，３のプレパラート標本用画像窓２１を挟んで対峙する係止側縁面３１，３１間の距離の夫々を、プレパラート標本５の幅寸法に略一致する２２ｍｍ前後に設定すると共に、補助枠部３，３の各係止側縁面３１，３１には、粘着剤を塗布するか、あるいは両面粘着テープからなり、装着されたプレパラート標本５の左右幅縁側面を粘着、固定できるようにした粘着剤部４５，４５を形成してなるものであって、プレパラート標本５が未装着の使用前の状態において、剥離紙を装着して粘着剤が密閉状に被覆されてなるものの事例としている。
【００２５】
当該左右の補助枠部３，３は、金属板の場合にはプレス成型やダイカストにより、合成樹脂の場合には同時成型することによってマウント基盤部２に一体に成型されたものとすることができ、また、係止側縁面３１，３１と粘着剤部４５，４５との間に発泡ウレタンやスポンジ等の軟質素材からなる図示しない弾性材層部を形成する等して、プレパラート標本５の或る程度の幅寸法の違いに対応可能な構造とすることも可能である。
【００２６】
【実施例３】
図５のプレパラート標本用マウントの斜視図に示す実施例は、マウント基盤部２プレパラート標本装着面２３のプレパラート標本用画像窓２１の四隅に対応する補助枠部３，３係止側縁面３１，３１の四箇所に、略Ｚ型状に折曲した金属片の基端部をマウント基盤部２と補助枠部３，３との間に挟み込み状に固着し、係止爪状部４１，４１，……を形成したものである。
【００２７】
また、図６のプレパラート標本用マウントの斜視図に示す実施例は、プレパラート標本用画像窓２１を挟んで対峙する補助枠部３，３の夫々の係止側縁面３１，３１を、プレパラート標本用画像窓２１から突出方向に離れるに従って、中央寄りに傾斜された壁面形として係止爪状部４１，４１を形成したものであり、プレパラート標本５の左右縁部を、傾斜された係止爪状部４１，４１とプレパラート標本装着面２３との間に挟み込み、仮固定できるように形成したものとしたプレパラート標本用マウント１である。
【００２８】
【実施例４】
図７のプレパラート標本用マウントの斜視図に示す実施例は、マウント基盤部２の左右に突設された補助枠部３の係止側縁面３１，３１間の距離Ｄを、プレパラート標本５の幅寸法Ｗよりも幅広く設定し、プレパラート標本装着面２３に対するプレパラート標本５の装着位置に自由度をもたせたものであり、当該係止側縁面３１，３１間の距離Ｄを、プレパラート標本５の幅寸法Ｗ約２２ｍｍよりも幅広い約４０ｍｍ程度に設定すると共に、プレパラート標本装着面２３中央寄りのプレパラート標本用画像窓２１の縦方向開口縁部付近の夫々には、両面粘着テープからなる粘着剤部４５，４５の一面を粘着、固定させ、反対面は剥離紙によって被覆されたままの状態としておき、プレパラート標本５を装着する際に、各剥離紙を剥がして粘着、固定することが可能な添着部４を形成してなるものとした事例である。
【００２９】
なお、この添着部４は、図８のプレパラート標本用マウントの斜視図、および図９のプレパラート標本用マウントの断面図に示すように、マウント基盤部２の肉厚方向に貫通された連通孔４６，４６と、プレパラート標本装着面２３側の連通孔４６，４６開口縁部に取着された天然ゴム製あるいは軟質合成樹脂製であり、円形縁取り状の吸盤弁部４７，４７と、天然ゴムあるいは軟質合成樹脂からなり、マウント基盤部２の裏面側の各連通孔４６，４６開口部を密閉状に閉鎖して、連通孔４６内に向けて押圧されると、その弾性素材の復元力によって吸盤弁部４７側に吸引力を発生させることができる弾性密閉膜部４８，４８とを設けたものとすることが可能である。
【００３０】
【作用】
以上のとおりの構成からなるこの発明のプレパラート標本用マウント１は、図２ないし図９の何れかに示した状態に、プレパラート標本用マウント１に装着されたプレパラート標本５を、３５ｍｍカメラフィルム用マウントと同様に、汎用型の３５ｍｍカメラフィルム用のフィルムスキャナやスライドプロジェクター等に装着し、標本画像の読み取りあるいは映写に使用することが可能となる。
【００３１】
図１ないし３に示した構造のものでは、プレパラート標本５を図２中の矢印方向に円滑に装着および離脱させることが可能となり、図３に示すように、装着されたプレパラート標本５は、弾性付勢部４２，４２の押圧力によって係止爪状部４１と弾性付勢部４２，４２との間に確りと挟み込まれるように係止され、一体的に取扱い可能な程度に充分な強度で仮り固定されるものとなり、プレパラート標本５を取り外すときには、操作用切欠き溝２２に手指を合わせて、プレパラート標本５の端部を引き出すようにして離脱させることが可能である。
【００３２】
図４に示す実施例のプレパラート標本用マウント１は、補助枠部３，３の係止側縁面３１，３１に取着された図示しない剥離紙を剥がし取り、露出状となった粘着剤部４５，４５間にプレパラート標本５を挿し込んで、その幅方向左右縁部を粘着剤部４５，４５に粘着、固定させて仮固定し、スキャナを用いた画像の読み取りや、スライドプロジェクターによる映写を行った後に取り外すようにする場合には、プレパラート標本５を粘着剤部４５，４５の粘着力に抗して剥がし取り、離脱させることとなる。
【００３３】
図５または図６のプレパラート標本用マウント１によるものでは、図中矢印に示されるように、プレパラート標本５をスライド移動するようにして装着すれば、補助枠部３，３係止側縁面３１．３１に添設あるいは一体形成された係止爪状部４１，４１，……によってプレパラート標本装着面２３に重ね合わせ状態となるよう係止され、仮り固定されるものとなり、係止爪状部４１，４１，……に弾性をもたせ、プレパラート標本５をプレパラート標本装着面２３との間に挟み込むように保持させたり、あるいはプレパラート標本５を装着した後に係止爪状部４１，４１，……を塑性変形させてプレパラート標本５を仮り固定することも可能である。
【００３４】
図７に示した事例によるプレパラート標本用マウント１では、剥離紙を剥がし取って粘着剤部４５，４５を露出させると共に、プレパラート標本５の標本部位をプレパラート標本用画像窓２１の最適な位置に配置するよう、補助枠部３，３間距離Ｄの範囲内で移動調節した上、プレパラート標本５を粘着剤部４５，４５に重ね合わせるように押し当てて装着、仮固定したものとし、取り外すときには、粘着剤部４５，４５の粘着力に抗してプレパラート標本５を剥がし取ることとなる。
【００３５】
また、図８のプレパラート標本用マウント１による場合には、プレパラート標本５の装着位置を、補助枠部３，３間距離Ｄの範囲内で移動、調節すると共に、プレパラート標本装着面２３にプレパラート標本５を重ね合わせ状に装着して、各吸盤弁部４７，４７がプレパラート標本５に密着状となっていることを確認した後、マウント基盤部２裏面側の弾性密閉膜部４８，４８の夫々を、手指によって連通孔４６，４６内に向けて押圧すれば、吸盤弁部４７，４７とプレパラート標本５との間を通じて連通孔４６，４６内の空気が外部に押し出され、手指による押圧を止めると、弾性密閉膜部４８，４８が復元力を発揮して吸盤弁部４７，４７が密着するプレパラート標本５を吸着し、仮り固定するものとなる。そして、プレパラート標本５を取り外すときには、弾性密閉膜部４８，４８を手指で押圧し、連通孔４６，４６内の負圧を解消してやれば、吸引力を失った吸盤弁部４７，４７がプレパラート標本５を開放して取り外し可能となる。
【００３６】
【効果】
以上のとおり、この発明のプレパラート標本用マウントによれば、何よりも先ず、比較的廉価に市販されている汎用型の３５ｍｍカメラフィルム用のフィルムスキャナを使用してプレパラート標本を読み取ることが可能となるので、これまで必須とされてきた比較的高価な医療用スキャナを使用せずにディジタル画像データを取得することができ、しかもプレパラート標本用マウント自体も比較的廉価に提供可能となり、病理診断や学術研究、実験の現場等で使用される多数のプレパラート標本の個々に装着し、そのまま蓄積、管理することができるようになる上、装着されたプレパラート標本は、外部衝撃から保護されるものとなり、直接手指で触れずに保持、運搬可能となって破損や汚染の危険性を低減させることができることから、高度な専門的知識と高い熟練技術とを必要としていて常に人手不足に悩まされている病理組織検査部門や各種学術研究機関、およびプレパラート標本の蓄積、保管に携わるの人々の労働負担や経済的負担を低減し、プレパラート標本をディジタル情報化する作業を格段に効率化することができるという秀れた特徴が得られるものである。
【００３７】
特に、実施例に説明したプレパラート標本用マウント１は、上記した特徴に加え、図２および図３中に示したように、マウント基盤部２の左右幅縁側に形成された補助枠部３，３係止側縁面３１，３１の係止爪上部４１と、これに対峙する弾性付勢部４２、４２との間に、プレパラート標本５をスライドさせるように装着すれば仮り固定状となり、該弾性付勢部４２、４２の付勢力に抗して引き抜けば、比較的容易に離脱させることが可能なので、プレパラート標本５の着脱作業を迅速に行うことができるものとなり、また、図４のプレパラート標本用マウント１のように、補助枠部３，３の対峙する係止側縁面３１，３１の夫々に、粘着剤部４５，４５を設けたものでは、比較的廉価な構造でありながら、プレパラート標本５の左右幅縁部が粘着、固定されて衝撃的な外力が加わったとしても、プレパラート標本５がプレパラート標本用マウント１から不用意に脱落してしまう弊害を確実に解消できるものとなり、プレパラート標本５を装着したままの状態で長期保存、管理する上で大いに威力を発揮し得るものとなる。
【００３８】
さらにまた、このような粘着剤を使用せずに、図５や図６に示したプレパラート標本用マウント１のように、補助枠部３，３の係止側縁面３１，３１の夫々に係止爪状部４１，４１，……を形成したものでは、離脱後のプレパラート標本５に粘着剤が付着してしまうこともなく、プレパラート標本５の脱着作業も簡単に行うことができるものとなり、図７や図８に示すように、補助枠部３，３の係止側縁面３１，３１の離反間隔Ｄを、プレパラート標本５の幅寸法Ｗよりも幅広く設定したプレパラート標本用マウント１は、プレパラート標本５の固定位置の決定範囲を広くでき、一枚のプレパラート標本５上に複数の組織標本を点在させたときや、プレパラート標本５上に在る多数の微生物標本の最も好ましい範囲を撮影したいとき等に好適であり、従前までであればディジタル画像を読み取った後に拡大、編集等の作業が必要であったが、こうした作業を不要としてスキャナによるディジタル画像の読み取り作業や、プレパラート標本５のスライドプロジェクターへの直接的使用を可能とすることができるという利点が得られるものとなる。
【００３９】
さらに、図８および図９に取り上げたプレパラート標本用マウント１のように、吸盤弁部４７，４７によってプレパラート標本５を離脱可能に吸着、固定できるようにしたものでは、プレパラート標本５を粘着剤で汚すこともなければ、無理にこじったり、剥がし取ったりすることもなく、弾性密閉膜部４８，４８を押圧操作するだけで、脱着操作が可能となり、より一段と作業効率をアップさせることができるという効果が期待できるものとなる。
【００４０】
叙述の如く、この発明のプレパラート標本用マウントは、その新規な構成によって所期の目的を遍く達成可能とするものであり、しかも、比較的構造が簡素なことから、製造も容易で、従前まで必ず使用されていたかなり高額な医療用のスキャナーや専用のアダプター等を使用せずに、比較的廉価に市販されている汎用型の３５ｍｍフィルムスキャナーによって簡便にディジタル画像情報を取得することが可能となるので、遥かに経済的なものとすることができる上、使用する全てのプレパラート標本に比較的廉価にて装着、使用してそのまま蓄積、管理することが可能となり、その作業効率自体も大幅に高めることができることから、費用の削減と労働負担の軽減とを確実に達成可能にするものであり、病理画像の効率的なディジタル情報化を目指す医療機関や、経済的負担の解消を望む各種研究機関といった学術的な分野に携わる人々において高い評価が得られ、広範に渡って利用、普及していくものになると予想される。
【図面の簡単な説明】
図面は、この発明のプレパラート標本用マウントの技術的思想を具現化した幾つかの実施例を示すものである。
【図１】プレパラート標本用マウントの組み立て構造を示す斜視図である。
【図２】プレパラート標本を装着する状態を示す斜視図である。
【図３】プレパラート標本の装着状態を示す斜視図である。
【図４】プレパラート標本用マウントの粘着固定構造を示す斜視図である。
【図５】プレパラート標本用マウントの係止固定構造を示す斜視図である。
【図６】プレパラート標本用マウントの他の係止固定構造を示す斜視図である。
【図７】プレパラート標本用マウントの取着位置調節構造を示す斜視図である。
【図８】プレパラート標本用マウントの他の位置調節構造を示す斜視図である。
【図９】図８のプレパラート標本用マウントを示す断面図である。
【符号の説明】
１      プレパラート標本用マウント
２      マウント基盤部
２１    同  プレパラート標本用画像窓
２２    同  操作用切欠き溝
２３    同  プレパラート標本装着面
３      補助枠部
３１    同  係止側縁面、
４      添着部
４１    同  係止爪状部
４２    同  弾性付勢部
４３    同  固着面部
４４    同  押圧片部
４５    同  粘着剤部
４６    同  連通孔
４７    同  吸盤弁部
４８    同  弾性密閉膜部
５      プレパラート標本
【図１】
0004071962.tif 000002
【図２】
0004071962.tif 000003
【図３】
0004071962.tif 000004
【図４】
0004071962.tif 000005
【図５】
0004071962.tif 000006
【図６】
0004071962.tif 000007
【図７】
0004071962.tif 000008
【図８】
0004071962.tif 000009
【図９】
0004071962.tif 000010